(57)【要約】【課題】簡易な構成で受光手段による読取可能範囲の読取中心を正確に示し得る光学的情報読取装置を提供する。【解決手段】レーザダイオード３４を含めたマーカ光光学系３０ｂは、その発光軸が受光センサ３１を含めた受光光学系３０ａの受光軸とともに光軸Ｌに一致するとともに当該受光センサ３１に対して離間する方向に照射するように配置される。そして、回折光学素子３６により発光軸（光軸Ｌ）に対して対称に分光される各マーカ光Ｍは、当該発光軸に対して対称に配置される反射部材３７の各平面鏡３７ａ，３７ｂにより読取口１４ａに向けて反射されて物品Ｒ表面において読取位置の目印となるパターンとして表示される。【選択図】図２
2010140064.tif 000002
【特許請求の範囲】
【請求項１】
物品に付された情報コードを読み取る光学的情報読取装置であって、
前記情報コードからの反射光を読取口を介して受光する受光手段と、
マーカ光を照射するマーカ光照射手段であってその発光軸が前記受光手段の受光軸に一致するとともに前記受光手段に対して離間する方向に照射するように配置されるマーカ光照射手段と、
前記マーカ光を前記発光軸に対して対称な複数のマーカ光に分光する分光手段と、
前記発光軸に対して対称に配置されて前記複数のマーカ光をそれぞれ前記読取口に向けて反射する複数の反射部を有し、前記読取口を介する前記各マーカ光が前記物品表面において読取位置の目印となるパターンとして表示される反射手段と、
を備えることを特徴とする光学的情報読取装置。
【請求項２】
前記反射手段は、前記複数の反射部が互いに一体に形成されることを特徴とする請求項１に記載の光学的情報読取装置。
【請求項３】
前記受光手段および前記マーカ光照射手段の少なくとも一方が実装される基板には、前記反射手段により反射される前記各マーカ光がそれぞれ通過するための複数の貫通穴が当該各マーカ光に応じて形成されることを特徴とする請求項１または２に記載の光学的情報読取装置。
【請求項４】
前記反射手段は、前記各マーカ光を前記発光軸に平行に反射することを特徴とする請求項１〜３のいずれか一項に記載の光学的情報読取装置。
【発明の詳細な説明】
【技術分野】
【０００１】
本発明は、情報コードに対しマーカ光を照射して読取位置を示すマーカ光光学系を備える光学的情報読取装置に関するものである。
【背景技術】
【０００２】
情報コードに対しマーカ光を照射して読取位置を示すマーカ光光学系と情報コードからの反射光を受光する受光手段（受光センサ）とを備える光学的情報読取装置では、マーカ光光学系の発光軸と受光センサの受光軸とが一致しないために、図５に示すように、受光センサによる読取可能な範囲（読取可能範囲Ｓ）の読取中心Ｐ１とマーカ光Ｍにより形成される読取位置の目印となるパターンのパターン中心Ｐ２とが一致せず、ずれが生じていた。
【０００３】
この対策として、下記特許文献１に示す光学情報読取装置が知られている。この光学情報読取装置では、エリアマーカ投射器と受光センサとが水平方向にずらして配置されるとともに、受光センサが水平方向に位置調整可能に取り付けられている。そして、エリアマーカ（マーカ光）が撮像される撮像画像からエリアマーカと撮像画像との水平方向のずれ量を算出し、このずれ量に基づいて受光センサの水平位置を微調整することでエリアマーカと撮像画像との水平方向のずれをなくしている。
【特許文献１】特開２００７−１５７０５１号公報
【発明の開示】
【発明が解決しようとする課題】
【０００４】
しかしながら、上述のように受光センサの水平位置を微調整するためには、モータ等複雑な駆動機構を設ける必要があり、製造コストが増大するだけでなく耐久性が低下してしまうという問題がある。さらに、駆動機構を制御するための時間が必要となり、読み取りフィーリングが悪化してしまうという問題もある。
【０００５】
本発明は、上述した課題を解決するためになされたものであり、その目的とするところは、簡易な構成で受光手段による読取可能範囲の読取中心を正確に示し得る光学的情報読取装置を提供することにある。
【課題を解決するための手段】
【０００６】
上記目的を達成するため、特許請求の範囲に記載の請求項１の光学的情報読取装置では、物品に付された情報コードを読み取る光学的情報読取装置であって、前記情報コードからの反射光を読取口を介して受光する受光手段と、マーカ光を照射するマーカ光照射手段であってその発光軸が前記受光手段の受光軸に一致するとともに前記受光手段に対して離間する方向に照射するように配置されるマーカ光照射手段と、前記マーカ光を前記発光軸に対して対称な複数のマーカ光に分光する分光手段と、前記発光軸に対して対称に配置されて前記複数のマーカ光をそれぞれ前記読取口に向けて反射する複数の反射部を有し、前記読取口を介する前記各マーカ光が前記物品表面において読取位置の目印となるパターンとして表示される反射手段と、を備えることを特徴とする。
【０００７】
請求項２の発明は、請求項１に記載の光学的情報読取装置において、前記反射手段は、前記複数の反射部が互いに一体に形成されることを特徴とする。
【０００８】
請求項３の発明は、請求項１または２に記載の光学的情報読取装置において、前記受光手段および前記マーカ光照射手段の少なくとも一方が実装される基板には、前記反射手段により反射される前記各マーカ光がそれぞれ通過するための複数の貫通穴が当該各マーカ光に応じて形成されることを特徴とする。
【０００９】
請求項４の発明は、請求項１〜３のいずれか一項に記載の光学的情報読取装置において、前記反射手段は、前記各マーカ光を前記発光軸に平行に反射することを特徴とする。
【発明の効果】
【００１０】
請求項１の発明では、マーカ光照射手段は、その発光軸が受光手段の受光軸に一致するとともに当該受光手段に対して離間する方向に照射するように配置される。そして、分光手段により発光軸に対して対称に分光される各マーカ光は、発光軸に対して対称に配置される反射手段の各反射部により読取口に向けて反射されて物品表面において読取位置の目印となるパターンとして表示される。
【００１１】
このように、マーカ光照射手段の発光軸と受光手段の受光軸とが一致しており、各マーカ光が発光軸（受光軸）に対象に反射されるので、マーカ光により形成される読取位置の目印となるパターンのパターン中心と、受光手段による読取可能範囲の読取中心とが一致することとなる。
したがって、簡易な構成で受光手段による読取可能範囲の読取中心を正確に示すことができる。
【００１２】
請求項２の発明では、反射手段は、複数の反射部が互いに一体に形成されるため、各反射部同士の位置関係が一義的に定まるので、反射手段における各反射部の組付け精度を向上させることができる。
【００１３】
請求項３の発明では、受光手段およびマーカ光照射手段の少なくとも一方が実装される基板には、反射手段により反射される各マーカ光がそれぞれ通過するための複数の貫通穴が当該各マーカ光に応じて形成されるため、反射手段により反射される各マーカ光を上記基板に対して迂回させるように屈折させる必要がないので、各マーカ光を読取口に導くまでの構成を簡易にすることができる。
【００１４】
請求項４の発明では、反射手段は、各マーカ光を発光軸に平行に反射するので、読取口と情報コードが付された物品との距離にかかわらずマーカ光によるパターンが一定の範囲を示すこととなる。これにより、情報コードが付された物品が読取口から離間している場合でも、マーカ光によるパターンにより受光手段による読取可能範囲の読取中心を正確に示すことができる。
【発明を実施するための最良の形態】
【００１５】
［第１実施形態］
以下、本発明の光学的情報読取装置をバーコードリーダに適用した第１実施形態について図を参照して説明する。まず、本第１実施形態に係るバーコードリーダ１０の構成概要を図１および図２に基づいて説明する。図１は、本第１実施形態に係るバーコードリーダ１０の構成概要を一部断面で示す側面図である。図２は、本第１実施形態に係る光学系３０の詳細構造を示す断面図である。なお、図２では、図面表現の便宜上、光軸Ｌに対して対象な４つのマーカ光Ｍや４つの平面鏡３７ａ，３７ｂ等のうちそれぞれ２つのみ図示している。
【００１６】
図１に示すバーコードリーダ１０は、例えば、バーコード等の情報コードを読み取る携帯型のコードリーダとして用いられるもので、筐体１１内にコードリーダを構成するための回路部２０やこの回路部２０の電源として機能する電池６０やサブ電池６１等が収容されている。
【００１７】
筐体１１は、操作者に把持される把持部１２と、液晶表示器１３ａが取り付けられる液晶部１３と、読取口１４ａが設けられる読取部１４とを備えている。読取部１４は、裏面側に大きく前傾する首曲がり形状に形成されている。
【００１８】
筐体１１のほぼ中央両側面には、バーコード等の情報コードに対して照射光を照射する際に押圧されるトリガースイッチ（図示略）がそれぞれ設けられている。また、把持部１２の表面には、情報コードの情報や当該バーコードリーダ１０の操作に関する情報を入力可能なファンクションキーやテンキー等、情報を入力する際に操作される複数の情報入力キー１５が設けられている。
【００１９】
回路部２０は、主に、受光センサ３１、結像レンズ３２等の光学系３０と、メイン基板４１に実装される制御回路４２やメモリ等のマイクロコンピュータ系（以下、マイコン系４０という）と、を備えている。
【００２０】
光学系３０は、投光光学系と、受光光学系３０ａと、マーカ光光学系３０ｂとにより構成されている。投光光学系を構成する照明光源（図示略）は、照明光を発光可能な照明光源として機能するもので、例えば、赤色のＬＥＤとこのＬＥＤの出射側に設けられるレンズとから構成されている。
【００２１】
受光光学系３０ａは、受光センサ３１や結像レンズ３２等によって構成されている。受光センサ３１は、例えば、ＣＣＤエリアセンサであって、バーコードに照射されて反射した反射光Ｌｒを受光可能に構成されている。この受光センサ３１は、結像レンズ３２を介して入射する入射光を受光可能にリジッドフレキ基板等で構成される第１基板３３に実装されている。なお、受光センサ３１は、特許請求の範囲における「受光手段」の一例に相当する。
【００２２】
第１基板３３は、後述する第２基板３８およびメイン基板４１にフレキシブル基板等を介して電気的に接続されている。また、この第１基板３３には、後述する反射部材３７にて反射される各マーカ光Ｍを通過させるための貫通穴３３ａが４つ形成されている。
【００２３】
結像レンズ３２は、外部から読取口１４ａを介して入射する入射光を集光して受光センサ３１の受光面３１ａに像を結像可能な結像光学系として機能するものである。本第１実施形態では、照明光源から照射された照明光がバーコードＢにて反射した後、この反射光Ｌｒを結像レンズ３２で集光し、受光センサ３１の受光面３１ａにコード像を結像させている。
【００２４】
マーカ光光学系３０ｂは、マーカ光Ｍｏを照射可能なレーザダイオード３４と、マーカ光Ｍｏを平行光に変換するコリメートレンズ３５と、平行光に変換されたマーカ光Ｍｏを分光可能な回折光学素子３６と、分光された各マーカ光Ｍを読取口１４ａに向けて反射する反射部材３７とを備えている。
【００２５】
レーザダイオード３４は、制御回路４２からの信号に応じて駆動することでマーカ光Ｍｏを照射するように構成されており、制御回路４２からの指令を受けてレーザダイオード３４を駆動する駆動回路（公知のレーザダイオード駆動回路）とともに、リジッドフレキ基板等で構成される第２基板３８に実装されている。なお、レーザダイオード３４は、特許請求の範囲における「マーカ光照射手段」の一例に相当する。
【００２６】
回折光学素子３６は、例えば、計算機合成ホログラムＣＧＨ等であって、マーカ光Ｍｏをレーザダイオード３４の発光軸に対して対称な４つのマーカ光Ｍに分光可能に構成されている。なお、回折光学素子３６は、特許請求の範囲における「分光手段」の一例に相当する。
【００２７】
反射部材３７は、回折光学素子３６にて分光された各マーカ光Ｍを読取口側へそれぞれ反射するための４つの平面鏡３７ａと、各平面鏡３７ａにて反射されたマーカ光Ｍをそれぞれ読取口１４ａを介して出射するように反射するための４つの平面鏡３７ｂと、当該反射部材３７を後述するホルダ部材５０に固定するためのフランジ部３７ｃとを備えている。各平面鏡３７ａおよび各平面鏡３７ｂは、互いに一体に形成されて当該反射部材３７の光軸に対してそれぞれ対称になるように配置されている（図２参照）。なお、反射部材３７は、特許請求の範囲における「反射手段」の一例に相当し、各平面鏡３７ａおよび各平面鏡３７ｂは、特許請求の範囲における「反射部」の一例に相当する。
【００２８】
このように構成される受光光学系３０ａおよびマーカ光光学系３０ｂは、受光光学系３０ａの受光軸とマーカ光光学系３０ｂの発光軸とが光軸Ｌに一致するようにホルダ部材５０の各ホルダ５１〜５３にそれぞれ組み付けられる。
【００２９】
具体的には、受光センサ３１が実装された第１基板３３を一方が開口する第１ホルダ５１の底壁５１ａに固定し、この第１ホルダ５１の開口部を結像レンズ３２が係止された第２ホルダ５２で閉塞するように第１ホルダ５１と第２ホルダ５２とを固定する。これにより、受光センサ３１の光軸と結像レンズ３２の光軸とが受光軸として一致するとともに、受光センサ３１の受光面３１ａと結像レンズ３２との距離が光学的に必要な距離に維持される。なお、第１ホルダ５１の底壁５１ａと第２ホルダ５２とには、後述する各マーカ光Ｍが通過するための貫通穴５１ｂと貫通穴５２ａがそれぞれ４つ形成されている。
【００３０】
次に、第３ホルダ５３の一端側に設けられる円筒部５３ａの内面に、回折光学素子３６およびコリメートレンズ３５を係止するとともに、レーザダイオード３４の照射側端部を嵌合する。これにより、レーザダイオード３４の光軸とコリメートレンズ３５の光軸と回折光学素子３６の光軸とが発光軸として一致する。また、コリメートレンズ３５に設けられたフランジ部により、コリメートレンズ３５と回折光学素子３６との距離が光学的に必要な距離に維持される。
【００３１】
そして、受光光学系３０ａの受光軸およびマーカ光光学系３０ｂの発光軸が光軸Ｌに一致するように、第１ホルダ５１の底壁５１ａに第３ホルダ５３の他端側をねじ等により締結して固定する。これにより、レーザダイオード３４は、受光センサ３１に対して離間する方向にマーカ光Ｍｏを照射するように配置されることとなる。なお、第１基板３３にはレーザダイオード３４の照射光強度を調整するための可変抵抗器（図示略）が設けられており、レーザダイオード３４の照射光強度を安全規格内に収めるために、可変抵抗器が調整される。
【００３２】
そして、反射部材３７を、各平面鏡３７ａおよび各平面鏡３７ｂにより第３ホルダ５３を覆うとともに当該反射部材３７の光軸が光軸Ｌに一致するように、第１ホルダ５１の底壁５１ａにねじ等により締結して固定する。
これにより、図２に示す受光光学系３０ａおよびマーカ光光学系３０ｂの組み付けが完了する。
【００３３】
マイコン系４０は、バーコードリーダ１０全体を制御可能な情報処理装置として機能し得る制御回路４２やメモリ等を中心に構成されるもので、光学系３０の受光センサ３１から出力される画像信号を、メモリにて記憶する。制御回路４２は、ＣＰＵ、システムバス、入出力インタフェース等からなるもので、内蔵された入出力インタフェースを介してメモリやトリガースイッチ等の種々の入出力装置と接続可能に構成されている。
【００３４】
次に、このように構成されるバーコードリーダ１０の作用について図３を用いて説明する。図３は、本第１実施形態に係る受光センサ３１による読取可能範囲Ｓの読取中心Ｐ１とマーカ光Ｍにより形成されるパターンのパターン中心Ｐ２との位置関係を示す説明図である。
【００３５】
レーザダイオード３４からマーカ光Ｍｏが照射されると、コリメートレンズ３５により平行光に変換された後、回折光学素子３６により光軸Ｌに対称な４つのマーカ光Ｍに分光される。そして、各マーカ光Ｍは、反射部材３７の各平面鏡３７ａおよび各平面鏡３７ｂにより反射されて、第１ホルダ５１の貫通穴５１ｂ、第１基板３３の貫通穴３３ａおよび第２ホルダ５２の貫通穴５２ａをそれぞれ通過し、読取口１４ａを介して出射する。
【００３６】
図３に示すように、読取口１４ａから出射する各マーカ光Ｍは、物品表面において読取位置の目印となるパターンとして表示される。このとき、レーザダイオード３４を含めたマーカ光光学系３０ｂの発光軸と、受光センサ３１を含めた受光光学系３０ａの受光軸とが光軸Ｌに一致している。このため、受光センサ３１による読取可能な範囲（以下、読取可能範囲Ｓともいう）の読取中心Ｐ１と、上記パターンのパターン中心Ｐ２とが、読取口１４ａとバーコードＢが付された物品Ｒとの距離にかかわらず常に一致することとなる。
【００３７】
以上説明したように、本第１実施形態に係るバーコードリーダ１０では、レーザダイオード３４を含めたマーカ光光学系３０ｂは、その発光軸が受光センサ３１を含めた受光光学系３０ａの受光軸とともに光軸Ｌに一致するとともに当該受光センサ３１に対して離間する方向に照射するように配置される。そして、回折光学素子３６により発光軸（光軸Ｌ）に対して対称に分光される各マーカ光Ｍは、当該発光軸に対して対称に配置される反射部材３７の各平面鏡３７ａ，３７ｂにより読取口１４ａに向けて反射されて物品Ｒ表面において読取位置の目印となるパターンとして表示される。
【００３８】
これにより、各マーカ光Ｍにより形成される読取位置の目印となるパターンのパターン中心Ｐ２と、受光センサ３１による読取可能範囲Ｓの読取中心Ｐ１とが常に一致する。
したがって、簡易な構成で受光センサ３１による読取可能範囲Ｓの読取中心Ｐ１を正確に示すことができる。
【００３９】
また、本第１実施形態に係るバーコードリーダ１０では、反射部材３７は、各平面鏡３７ａおよび各平面鏡３７ｂが互いに一体に形成されているため、各平面鏡３７ａ同士や各平面鏡３７ｂ同士の位置関係がそれぞれ一義的に定まるので、反射部材３７における各平面鏡３７ａおよび各平面鏡３７ｂの組付け精度を向上させることができる。
【００４０】
さらに、本第１実施形態に係るバーコードリーダ１０では、受光センサ３１が実装される第１基板３３と、第１ホルダ５１および第２ホルダ５２には、反射部材３７により反射される各マーカ光Ｍがそれぞれ通過するための複数の貫通穴３３ａ，５１ｂ，５２ａが当該各マーカ光Ｍに応じてそれぞれ形成される。このため、反射部材３７により反射される各マーカ光Ｍを第１基板３３やホルダ５１，５２に対して迂回させるように屈折させる必要がないので、各マーカ光Ｍを読取口１４ａに導くまでの構成を簡易にすることができる。なお、レーザダイオード３４が実装される第２基板３８が反射部材３７により反射される各マーカ光Ｍに干渉する場合には、第２基板３８にも各マーカ光Ｍがそれぞれ通過するための複数の貫通穴を設けてもよい。
【００４１】
［第２実施形態］
次に、本発明の第２実施形態に係るバーコードリーダについて図４を参照して説明する。図４は、本第２実施形態に係る光学系３０ｃの詳細構造を説明するための説明図である。なお、図４では、図面表現の便宜上、光軸Ｌに対して対象な４つのマーカ光Ｍや４つの貫通穴３３ａ等のうちそれぞれ２つのみ図示している。
【００４２】
本第２実施形態に係るバーコードリーダ１０ａでは、上記第１実施形態にて述べた光学系３０に代えて光学系３０ｃを採用する点が、上記第１実施形態に係るバーコードリーダと異なる。したがって、第１実施形態のバーコードリーダと実質的に同一の構成部分には、同一符号を付し、その説明を省略する。
【００４３】
光学系３０ｃは、上記光学系３０に対して反射部材３７に代えて反射部材３９を採用しており、この反射部材３９は、回折光学素子３６にて分光された各マーカ光Ｍを光軸Ｌに対してそれぞれ平行に反射するための曲面鏡３９ａと、円筒部３９ｂおよびフランジ部３９ｃとが一体に構成されている。
【００４４】
なお、本第２実施形態でも、上記第１実施形態と同様に、第１基板３３の貫通穴３３ａと、第１ホルダ５１の貫通穴５１ｂおよび第２ホルダ５２の貫通穴５２ａとが、反射部材３９にて反射される各マーカ光Ｍを通過させるように形成されている。
【００４５】
以上のように構成される本第２実施形態におけるバーコードリーダ１０ａでは、反射部材３９の曲面鏡３９ａは、各マーカ光Ｍを発光軸（光軸Ｌ）に平行に反射するように構成される。このため、読取口１４ａとバーコードＢが付された物品Ｒとの距離にかかわらず各マーカ光Ｍによるパターンが一定の範囲を示すこととなる。これにより、バーコードＢが付された物品Ｒが読取口１４ａから離間している場合でも、各マーカ光Ｍによるパターンにより受光センサ３１による読取可能範囲Ｓの読取中心Ｐ１をより正確に示すことができる。
【００４６】
なお、本発明は上記各実施形態に限定されるものではなく、以下のように具体化してもよく、その場合でも、上記各実施形態と同等の作用・効果が得られる。
（１）上記第１実施形態において、反射部材３７は、各平面鏡３７ａおよび各平面鏡３７ｂにより各マーカ光Ｍを読取口１４ａに向けて反射することに限らず、例えば、当該反射部材３７の光軸に対してそれぞれ対称になるように配置される複数の鏡により各マーカ光Ｍを読取口１４ａに向けて反射してもよい。なお、これら複数の鏡を互いに一体に形成した場合には、各鏡同士の位置関係が一義的に定まるので、反射部材３７における各鏡の組付け精度を向上させることができる。
【００４７】
（２）上記第２実施形態において、反射部材３９は、曲面鏡３９ａにより各マーカ光Ｍを光軸Ｌに対してそれぞれ平行に反射することに限らず、例えば、複数の平面鏡を採用してこれら各平面鏡により各マーカ光Ｍを光軸Ｌに対してそれぞれ平行に反射するように構成されてもよい。
【００４８】
（３）回折光学素子３６は、マーカ光Ｍｏをレーザダイオード３４の発光軸に対して対称な４つのマーカ光Ｍに分光可能に構成されることに限らず、マーカ光Ｍｏを発光軸に対して対称な複数のマーカ光に分光可能に構成されてもよい。このとき、読取口１４ａから出射する各マーカ光は、物品Ｒ表面において読取位置の目印となるパターンとして表示される。
【００４９】
（４）なお、上述した実施形態では、光学的情報読取装置として、バーコードリーダを例示して説明したが、これに限られることはなく、例えば、二次元コードリーダなどの情報コードに対しマーカ光を照射して読取位置を示すマーカ光光学系と情報コードからの反射光を受光する受光手段とを備える装置であれば、上述と同様に作用および効果を得ることができる。
【図面の簡単な説明】
【００５０】
【図１】本第１実施形態に係るバーコードリーダの構成概要を一部断面で示す側面図である。
【図２】本第１実施形態に係る光学系の詳細構造を説明するための説明図である。
【図３】図３は、本第１実施形態に係る受光センサによる読取可能範囲の読取中心とマーカ光により形成されるパターンのパターン中心との位置関係を示す説明図である。
【図４】本第２実施形態に係る光学系の詳細構造を説明するための説明図である。
【図５】従来技術に係る受光センサによる読取可能範囲の中心とマーカ光により形成されるパターンのパターン中心との位置関係を示す説明図である。
【符号の説明】
【００５１】
１０，１０ａ…バーコードリーダ（光学的情報読取装置）
１４ａ…読取口
２０…回路部
３０，３０ｃ…光学系
３０ａ…受光光学系
３０ｂ…マーカ光光学系
３１…受光センサ（受光手段）
３２…結像レンズ
３３…第１基板
３３ａ…貫通穴
３４…レーザダイオード（マーカ光照射手段）
３５…コリメートレンズ
３６…回折光学素子（分光手段）
３７，３９…反射部材（反射手段）
３７ａ，３７ｂ…平面鏡（反射部）
３８…第２基板
３９ａ…曲面鏡（反射部）
４０…マイコン系
４１…メイン基板
４２…制御回路
５０…ホルダ部材
５１〜５３…ホルダ
５１ｂ，５２ａ…貫通穴
Ｂ…バーコード（情報コード）
Ｐ１…読取中心
Ｐ２…パターン中心
Ｓ…読取可能範囲
【図１】
2010140064.tif 000003
【図２】
2010140064.tif 000004
【図３】
2010140064.tif 000005
【図４】
2010140064.tif 000006
【図５】
2010140064.tif 000007